(57)【要約】  窓組立体は、断熱ガラスユニット、前記断熱ガラスユニットに移動可能に結合された取付アセンブリ、および前記取付アセンブリに固定された電気部品を含むことができる。方法は、電気部品を取付アセンブリに固定することと、前記取付アセンブリを断熱ガラスユニットに結合することと、前記断熱ガラスユニットをフレーム内に設置することとを含むことができる。一実施形態では、前記窓組立体が、フレーム内に設置された後、前記取付アセンブリが、最終的な位置に移動し、確実に位置固定することができる。一実施形態では、プレアセンブリは、出荷時または設置場所で窓組立体のすべての構成部品を一緒に保つのを助け、構成部品が出荷時または設置場所で分離または失われる可能性を減少させることができる。【選択図】  図１
2018505978.tif 000002
【特許請求の範囲】
【請求項１】
断熱ガラスユニットと、
前記断熱ガラスユニットに移動可能に結合された取付アセンブリと、
前記取付アセンブリに固定された電気部品と
を含む、窓組立体。
【請求項２】
電気部品を取付アセンブリに固定することと、
前記取付アセンブリを断熱ガラスユニットに結合することと、
前記断熱ガラスユニットをフレーム内に設置することと
を含む、方法。
【請求項３】
前記取付アセンブリが位置決め前に比べ位置決め後にフレームに近いように、前記取付アセンブリを位置決めすることをさらに含み、位置決めが設置後に行なわれる、請求項２に記載の方法。
【請求項４】
前記取付アセンブリを前記取付ブラケットに固定するために使用される締結具を緩めることであって、緩めることが、前記断熱ガラスユニットを設置した後、および前記取付アセンブリを位置決めする前に実行されるようにしてなる、緩めることと、
前記取付アセンブリを位置決めした後、前記締結具を締め付けることと
をさらに含む、請求項３に記載の方法。
【請求項５】
前記断熱ガラスユニットが、電気化学システムを含む、前述の請求項のいずれか１つに記載の窓組立体または方法。
【請求項６】
前記電気部品が、ソーラパネルを含む、前述の請求項のいずれか１つに記載の窓組立体または方法。
【請求項７】
前記窓組立体が、前記ソーラパネルからエネルギを受信するように構成されたエネルギ貯蔵ユニットをさらに含む、請求項６に記載の窓組立体または方法。
【請求項８】
前記電気部品が、制御ユニットを含む、前述の請求項のいずれか１つに記載の窓組立体または方法。
【請求項９】
前記制御ユニットが、ソーラパネル、エネルギ貯蔵ユニット、前記断熱ガラスユニット内の電気化学システム、またはそれらの任意の組み合わせに結合される、請求項８に記載の窓組立体または方法。
【請求項１０】
前記窓組立体が、前記取付アセンブリを前記断熱ガラスユニットに結合する締結具をさらに含む、前述の請求項のいずれか１つに記載の窓組立体または方法。
【請求項１１】
前記締結具が、圧縮締結具である、請求項１０に記載の窓組立体または方法。
【請求項１２】
前記締結具が、ボルト、ねじ、カムレバー、またはＢＮＣ端子を含む、請求項１０または１１に記載の窓組立体または方法。
【請求項１３】
前記窓組立体が、前記断熱ガラスユニットに固定された取付ブラケットをさらに含む、前述の請求項のいずれか１つに記載の窓組立体または方法。
【請求項１４】
前記取付ブラケットを前記断熱ガラスユニットに固定する接着剤、ねじ、両面テープ、またはナットおよびボルトアセンブリをさらに含む、請求項１３に記載の窓組立体または方法。
【請求項１５】
前記断熱ガラスユニットと前記取付アセンブリとの間に配置されるガタツキ防止部材をさらに含む、前述の請求項のいずれか１つに記載の窓組立体または方法。
【発明の詳細な説明】
【技術分野】
【０００１】
本開示は、窓組立体およびそれに関する方法に関する。
【背景技術】
【０００２】
窓組立体は、電位の印加に応答してその光学特性を変化させることができる通電変色材料を含むことができる。このような変化により、アセンブリ内の窓ガラスが、多少透明になるかまたは多少反射することができる。窓組立体は、１つまたは複数の電気部品に結合されてもよく、設置は、関連電気部品により複雑化し得る。窓組立体の設計および窓組立体を組み立ておよび設置する方法を改善する必要性が存在する。
【図面の簡単な説明】
【０００３】
実施形態は、例として示され、添付の図面に限定されるものではない。
【図１】図１は、一実施形態による完全に組み立てられた窓の図を含む。
【図２】図２は、断熱ガラスユニットと取付ブラケットを含む、部分的に完成した窓組立体の正面図を含む。
【図３】図３は、図２の取付ブラケットの斜視図を含む。
【図４】図４は、図２の取付ブラケットの正面図を含む。
【図５】図５は、図２の取付ブラケットの上面図を含む。
【図６】図６は、取付アセンブリの一部分の断面図を含む。
【図７】図７は、取付アセンブリを断熱ガラスユニットに着脱自在に結合した後、部分的に完成した窓組立体の図を含む。
【図８】図８は、図７の部分的に完成した窓組立体の拡大部分の図を含む。
【図９】図９は、ＩＧＵ、取付ブラケット、取付アセンブリ、締結具、およびカバーの断面図を含む。
【図１０】図１０は、実施形態に係る梱包時および出荷時の窓組立体の正面図を含む。
【図１１】図１１は、フレームへの設置後の窓組立体の正面図を含む。
【０００４】
当業者は、図中の要素は、平易かつ明快にするために示されており、必ずしも縮尺とおりに描かれていないことを理解する。たとえば、図中の要素のいくつかの寸法は、本発明の実施形態の理解を改善するのを助けるために他の要素に対して誇張され得る。
【発明を実施するための形態】
【０００５】
図面と組み合わせて以下の説明は、本明細書に開示される教示の理解を助けるために提供される。以下の説明は、教示の特定の実施および実施形態を対象とする。この対象は、教示を説明するのを助けるために提供され、教示の範囲または適用性を限定するものとして解釈されるべきではない。
【０００６】
本明細書で使用する場合、用語「含む（ｃｏｍｐｒｉｓｅｓ）」、「含む（ｃｏｍｐｒｉｓｉｎｇ）」、「包含する（ｉｎｃｌｕｄｅｓ）」、「含む（ｉｎｃｌｕｄｉｎｇ）」、「有する（ｈａｓ）」、「有する（ｈａｖｉｎｇ）」またはそれらの任意の他の変形は、非排他的な包含をカバーすることが意図される。たとえば、特徴のリストを含む、プロセス、方法、物品、もしくは装置は、それらの特徴のみに必ずしも限定されず、明確にリストされないか、または、かかるプロセス、方法、物品、もしくは装置に固有の他の特徴を包含してもよい。さらに、それとは反対と明らかに述べられないかぎり、「または（ｏｒ）」は、「包括的な（ｏｒ）」を意味し、「排他的な（ｏｒ）」を意味しない。たとえば、条件ＡまたはＢ、は下記のうちのいずれか１つによって満たされる。Ａが真（または存在）であり、かつＢが偽（または存在しない）である、Ａが偽（または存在しない）であり、かつＢが真（または存在）である、およびＡとＢの両方が真である（または存在する）。
【０００７】
「１つの（ａまたはａｎ）」の使用は、本明細書に記載される要素および構成要素を記述するために利用される。これは、便宜上および本発明の範囲の一般的な意味を与えるために行なわれるにすぎない。この記述は、明らかにそうではないことを意味していないかぎり、１つ、少なくとも１つまたは単数を包含するものとして読まれるべきであり、あるいは複数を包含し、または逆も同様である。
【０００８】
別途定義されないかぎり、本明細書で使用されるすべての技術用語および科学用語は、本発明が属する技術分野の当業者によって一般に理解されるものと同じ意味を有する。材料、方法、および実施例は一例にすぎず、限定的であるとは意図されない。本明細書に記載されない範囲で、特定の材料および加工行ために関する多くの詳細は従来的であり、通電変色および動的ガラス技術における教本および他の資料中に見出され得る。
【０００９】
窓組立体は、断熱ガラスユニット、断熱ガラスユニットに移動可能に結合された取付アセンブリ、および取付アセンブリに固定された電気部品を含むことができる。一実施形態では、窓組立体のすべての構成パーツが、互いに結合されるように、窓組立体は、プレアセンブルされた状態であることができる。そのようなプレアセンブルされた状態は、窓組立体が単一ユニットとして梱包され出荷されることを可能にする。したがって、梱包、または出荷中、または設置場所でパーツが分離または紛失する可能性は、大幅に低減または排除することができる。
【００１０】
一態様では、方法は、電気部品を取付アセンブリに固定することと、取付アセンブリを断熱ガラスユニットに結合することと、断熱性ガラスユニットをフレーム内に設置することとを含む。一実施形態では、窓組立体がフレーム内に設置された後、取付アセンブリは、最終的な位置に配置され、しっかりと所定の位置に固定することができる。締結具上のカバーが、窓を美的に保つのを助けることができる。また、取付アセンブリとフレームとの間の任意のまたはすべての空間を小さくすることができる、あるいは排除することができる。本明細書に開示される概念は、以下に示され、説明されるように、窓組立体の組み立ておよび設置の例示的な方法を考慮した後、よりよく理解される。
【００１１】
図１は、断熱ガラスユニット（ＩＧＵ）１１と、ソーラパネル１２と、カバー１３と、フレーム１５内に設置されたエンドキャップ１４とを含む、設置された窓組立体１０の図を含む。本明細書でより十分に議論されるように、窓組立体１０は、設置後に電気部品、たとえばソーラパネル１２を調整し、フレーム１５に当接またはその近くに配置することができるように設計されている。
【００１２】
図２は、ＩＧＵ１１と取付ブラケット２１を含む部分的に完成した窓組立体の図を含む。ＩＧＵ１１は、互いに離間された窓ガラスを含むことができる。ガラスのそれぞれは、ソーダ石灰ガラス、ホウケイ酸ガラス、フロートガラス等のガラス、またはサファイア、スピネル、酸化アルミニウム（ＡｌＯＮ）等の別の透明材料を含むことができる。各窓ガラスは、透明材料の単一のシートまたは積層体であってもよい。通電変色（ＥＣ）装置は、窓ガラスの１つの表面、または窓ガラスの一つであることができる対向基材に貼り付けられた基材上に配置することができる。一実施形態では、ＥＣ装置は、ＩＧＵ１１の窓ガラスの間に存在する。ＥＣ装置は、電位の変化に応答してその光学特性を変化させることができる。このような変化により、ＩＧＵ１１をより透明にすることができるか、より透明性を低くできるか、より反射的にするか、またはより少ない反射にすることができる。ＥＣ装置は、対向電極層、通電変色層、および対向電極層と通電変色層を分離するイオン伝導層を含むことができる。ＥＣ装置は、対向電極層と通電変色層に実質的に平行であり、電気的に結合される２つの透明導電層をさらに含む。
【００１３】
対向電極層、通電変色材料層、イオン伝導層および導電層の例示的な材料は、その全体が参照により本明細書に組み込まれる米国特許公開番号第２００８／０１６９１８５号に記載される。このような材料は、実質的に透明な酸化物または窒化物であることができる。電位が、たとえば、それぞれの導電層を低電圧の電源に接続することによって、ＥＣ装置の積層構造の両端に印加されたとき、対向電極層におけるＬｉ＋イオンなどのイオンが対向電極層からイオン伝導体層を通って通電変色層に流れる。また、対向電極層と通電変色層内の電荷的中立を維持するように、電子が対向電極層から外部回路を介して通電変色層に流れる。通電変色層へのイオンおよび電子の移動は、通電変色層の光学特性、およびオプションとして相補的なＥＣ装置内の対向電極層の光学特性を変化させる。特定の実施形態では、ＥＣ装置は、ＥＣ装置の色、透明度、または色と透明度の両方を変化させる。
【００１４】
取付ブラケット２１は、接着剤、ねじ、両面テープ、ナットとボルトアセンブリ）を使用して、ＩＧＵ１１に固定することができる。特定の実施形態では、永久的な構造接着剤が使用される。別の実施形態では、ブラケット２１は、ＩＧＵ１１の窓ガラスなどのＩＧＵ１１に成形することができる。ここで、そのような窓ガラスは、屋外環境にさらされる。特定の実施形態では、ブラケット２１は、ソーラパネル１２とＩＧＵ１１内のＥＣ層、または窓組立体またはフレーム１５内の別の電気部品、または建物の環境制御システムとの間の電気的接続を提供することができる。環境制御システムは、暖房、換気および空調（ＨＶＡＣ）システム、室内照明システム、別の適切な制御システム、またはこれらの任意の組み合わせを含むことができる。別の特定の実施形態では、ブラケット２１は断熱材である材料を含む。したがって、ブラケット２１は、銅、アルミニウム、ニッケル、真鍮、青銅等の金属または金属合金を含んでもよく、またはポリビニル化合物、ポリウレタン、ポリオレフィン等のポリマーを含むことができる。そのようなポリマーは、添加剤を含んでもよく、または屋外状態に対し長期暴露に耐えることができる材料を達成するためにコーティングすることができる。
【００１５】
ブラケット２１の数、大きさ、および配置は、取付アセンブリ、およびソーラパネル１２、カバー１３、締結具（図１にも図２にも示されていない）等の取付アセンブリに固定されるものを十分に機械的に支持するのを可能にするように選択される。図２の実施例に示すように、３つの取付ブラケット２１が、ＩＧＵ１１に固定される。
【００１６】
図３〜５は、ＩＧＵ１１の取付ブラケット２１の一つについての斜視図、正面図（設置時）、および平面図（設置時）を含む。図示の実施形態では、取付ブラケット２１は、取付ブラケット２１の本体３１から離間して延在しているフィーチャ３２を含む。フィーチャ３２は、取付アセンブリをＩＧＵ１１に結合させるために使用される。フィーチャ３２とは反対側の本体３１の側部は、ＩＧＵ１１に固定されているか、成形される。したがって、取付ブラケット２１が、ＩＧＵ１１に固定または成形されるとき、フィーチャ３２は、ＩＧＵ１１から離間して延在する。各対のフィーチャ３２は、チャネル３５、および一対のフィーチャ３２の上部およびチャネル３５の上方の空間であるスロット３６を画定する。フィーチャ３２は、取付アセンブリを取付ブラケット２１に固定する際に使用する締結具（図３〜図５には図示せず）と組み合わせて使用することができる。
【００１７】
ソーラパネルなどの電気部品１２は、図６に示すように取付アセンブリ６２に固定することができ、電気部品は、ソーラパネル１２、光センサ（ソーラパネルの一部であってもよいし、そうでなくてもよい）、制御ユニット、エネルギ貯蔵ユニット、窓組立体と共に使用するためのその他の適切な電気部品、またはそれらの任意の組み合わせとすることができる。一実施形態では、ソーラパネル１２は、光起電力セル、光または温度差をエネルギに変換することができる別の適切な装置、またはこれらの任意の組み合わせを含むことができる。使用することができる例示的なソーラパネルは、中華人民共和国の深せん市の中国のＣｈｉｎａ  Ｓｏｌａｒ  Ｌｔｄ．によって製造され、モデル番号ＫＳ−Ｍ３３０５７Ｇである。一実施形態では、エネルギ貯蔵ユニットは、バッテリ、コンデンサ、エネルギを貯蔵することができる別の適切な装置、またはこれらの任意の組み合わせであることができる。
【００１８】
周囲光が、露出面に到達することができるようにソーラパネル、光センサ、またはその両方を固定することができる。特定の実施形態では、ソーラパネル１２は、両面テープ（たとえば、米国、ミネソタ州の３Ｍ  Ｃｏｍｐａｎｙ  ｏｆ  Ｓｔ．  Ｐａｕｌ社製のＶＨＢ−ｂｒａｎｄＴＭテープ）を介して取付アセンブリ６２に取り付けられる。ただし、他の取付方法（たとえば、接着剤、ナットおよびボルトアセンブリ、リベット、溶接など）も可能である。別の実施形態では、ソーラパネル１２または他の電気部品を取付アセンブリ６２に固定するために、付属物が、取付アセンブリ６２の上リップ４４と下リップ４５上に延在することができる。付属物は、取付アセンブリ６２に解除可能な接続を提供する。このようにして、ソーラパネル１２または他の電気部品は、必要に応じて交換、修理などの際、外すことができる。図示のように、電気的接続は、取付アセンブリ６２に対向するソーラパネル１２の縁部から延在するポリイミドフレキシブル回路７３であることができる。ポリイミドフレキシブル回路７３は、ＥＣ装置、エネルギ貯蔵ユニット制御ユニット、あるいは取付アセンブリ６２に、または建物内に固定された他の電気部品に電気的接続を提供することができる。完成した窓組立体では、制御ユニット、エネルギ貯蔵ユニット、および電気コネクタが見えなくてもよいし、またソーラパネル、光センサ、カバー１３、または別の構成部品によって覆われていてもよい。
【００１９】
操作において、制御ユニットは、ソーラパネル、光センサ、エネルギ貯蔵ユニット、ＥＣ装置、または設置後では、前述したように、窓組立体が設置される建物などの建物のための環境制御システムに結合することができる。特定の実施形態では、外部の光条件は、ソーラパネルの電流、光センサからの信号、建物の内外の温度差等に応答して制御ユニットによって決定することができる。制御ユニットは、ＥＣ装置の電位を調整して光の伝達、または日射熱取得率に影響を与えることができる。別の特定の実施形態では、制御ユニットは、エネルギ貯蔵ユニットの充電と放電を制御するために使用することができる。さらに別の実施形態では、制御ユニットは、環境制御システムまたは別の供給源から状態情報を受信し、それに従い、ＥＣ装置を制御することができる。たとえば、制御ユニットは、より高い伝達、より高い日射熱取得率、または晴れた暑い日と比較して、晴れた寒い日には両方を許容することができる。この特定の例では、建物の内部と外部環境との間の温度差を使用することができる。別の用途では、制御ユニットは、必要または所望に応じて他の機能を提供することができる。この明細書を読んだ後、当業者は、制御ユニットが、必要または所望に応じて、特定の用途に合わせた機能を有することができることを理解するであろう。したがって、説明した機能は単なる例示であり、添付の特許請求の範囲を限定するものではない。
【００２０】
図７は、取付アセンブリ６２が、取付ブラケット２１に移動可能に結合された後、部分的に完成した窓組立体の図を含む。図８は、取付アセンブリ６２の部分をより良く例示するために部分的に完成した窓組立体の一部の拡大図を含む。取付アセンブリ１２を取付ブラケット２１に移動可能に結合する前、または後に、ソーラパネル１２、別の電気部品、またはそれらの任意の組み合わせを取付アセンブリ６２に固定することができる。この実施形態において、図６および図７に示すように、移動可能に結合される前に、ソーラパネル１２、他の電気部品、またはそれらの任意の組み合わせが、取付アセンブリ６２に固定される。
【００２１】
取付アセンブリ６２は一般に板状であってもよい。取付アセンブリ６２は取付ブラケット２１に対して前述したような任意の材料の成形材料、または押出し材料を含むことができる。取付アセンブリ６２は、ハードウェア、電気部品を固定するのを助けるための取付アセンブリ内の開口部、または他のフィーチャ、カバー１３、または取付アセンブリ６２に対する他のコンポーネントを含むことができる。取付アセンブリ６２は、開口部６４を画定する。開口部６４は、円（細長くない）、細長い円（図示されている）、楕円、長方形（正方形であっても正方形でなくてもよい）、六角形、または他の多角形の二次元形状を有することができる。細長い円は、横方向の位置ずれを許容することができる。さらに、細長い円は、温度が変化するときの膨張および収縮を許容し得る。特定の実施形態では、取付アセンブリ６２は、中心取付ブラケット２１に取り付けるため中央に円形の開口部、および取付アセンブリの端部の近くに細長い円形の開口部を有することができる。開口部６４は、取付アセンブリ６２を取付ブラケット２１の近くに配置する前に形成してもよい。別の実施形態では、取付ブラケットのスロットの位置は、取付アセンブリ６２にマーキングすることができる。開口部６４は、マーキングに対応する位置に形成することができる。特定の実施形態において、開口部６４は、ドリルで穴開けまたはパンチで穴開けすることができる。図７および図８に示される実施形態において、締結具６６は、取付アセンブリ６２がＩＧＵ１１に移動可能に結合されることを可能にする。
【００２２】
図示されていないが、取付アセンブリ６２は、ＩＧＵ１１内の電気部品（取付アセンブリ６２に固定されている）とＥＣ装置との間に作られる１つまたは複数の電気コネクタ用、窓組立体が設置される建物内の電気的接続部用、またはこれらの任意の組み合わせ用の開口部を含む。
【００２３】
図９は、取付アセンブリ６２が取付ブラケット２１に固定され、カバー１３が、締結具６６の上に配置された後の窓組立体の一部分の断面図を含む。図９に示す実施形態では、接着剤８２が取付ブラケット２１をＩＧＵ１１に結合する。一実施形態では、締結具６６は、圧縮力を使用して固定する締結具である圧縮締結具であってもよい。締結具６６は、ボルト、ねじ（図９に示す）、カムレバー、ＢＮＣ端子、または取付アセンブリ６２と取付ブラケット２１との間に圧縮力を与えるのを助けることができる他の適切な締結具を含むことができる。一実施形態では、締結具は、ナット、バネ、または圧縮を支援する他の適切な部品を含むことができる。ワッシャ８４は、圧縮力の負荷を分散させるのを助けるか、または締結具を定位置に維持するのを助けるために使用されてもよい。したがって、ワッシャ８４は、平ワッシャまたはロックワッシャとすることができる。特定の実施形態では、締結具６６は、取付アセンブリ６２内の開口部６４を貫通して延在するステムを含むことができる。窓組立体は、さらに、取付アセンブリ６２とＩＧＵ１１との間でガタツキを低減し、配置することができるガタツキ防止部材をさらに含むことができる。ガタツキ防止部材は、ゴムまたはポリマー等の圧縮材料とすることができる。ガタツキ防止部材は、Ｏリング、ワッシャ（ワッシャ８４等）、インターポーザなどの形態であってもよい。
【００２４】
図９に示す実施形態では、締結具６６は、ねじ６５を含み、ねじ６５のステム８６が開口部６４に挿入され、ワッシャ８４がステムの周りに配置され、故に、取付アセンブリ６２が、ワッシャ６４とねじ６５の頭部との間に配置される。ナット６８は、取付ブラケット２１のチャネル３５内に配置され、ねじ６５は、ナット６８と嵌合する。
【００２５】
カバー１３は、固定ハードウェアおよび取付アセンブリ６２を覆うために使用することができる。カバー１３は、ヒンジカバー（図示のヒンジ９２を有する）、スナップオンカバー、ねじオンカバー等であってもよい。カバー１３は、前もって取付アセンブリ６２に装着されていない場合は、この時点で取り付けることができる。前もって取り付けられている場合には、カバー１３を移動させて開口部６４にアクセスすることができ、取付アセンブリ６２を取付ブラケット２１に固定することができる。締め付け後、カバー１３は、締結具６６の上に配置される。
【００２６】
この時点で、窓組立体は、梱包され、組立施設から窓組立体が設置される地点に出荷される。図１０は出荷時の状態での窓組立体の正面図を含む。電気部品および取付アセンブリが、窓組立体に取り付けられているので、窓組立体は、完全にプレアセンブルされた単一ユニットとして出荷することができる。取付アセンブリ６２および電気部品は別個に出荷する必要も、同一パッケージ内の異なるユニットとして出荷する必要もない。したがって、ＩＧＵ１１が、設置前、または設置時に、取付アセンブリ６２または対応する電気部品から分離される可能性はより低い。しかし、別の実施形態では、顧客が要求した場合、取付ブラケット２１、取付アセンブリ６２、電気部品、またはそれらの任意の組み合わせは、同じパッケージ内または異なるパッケージ内の別個のユニットとして出荷されてもよい。
【００２７】
用途に応じて、パッケージは、比較的短い距離または非常に長い距離を搬送することができる。一実施形態では、距離は少なくとも１１キロメートル、少なくとも５０キロメートル、少なくとも１１０キロメートル、または少なくとも５００キロメートルにすることができる。別の実施形態では、距離は９０００万キロメートル以下、９００万キロメートル以下、２５０００キロメートル以下、９０００キロメートル以下、または５０００キロメートル以下とすることができる。特定の実施形態では、距離は１１キロメートルから２５０００キロメートルまで、５０キロメートルから９０００キロメートルまで、または１１０キロメートルから５０００キロメートルまでの範囲である。窓組立体は、地球上で使用する場合、距離はおそらく２５０００キロメートル以下であろう。窓組立体が宇宙船で使用される場合、その距離は２５０００ｋｍを超えることがあり、多くの場合、９０００万キロメートル以下であろう。多くの場合、組立施設と設置場所は同じ大陸にあり、故に、距離は９０００キロメートル、または５０００キロメートル以下であることができる。特別な出荷予防策は、比較的短い距離（５０キロメートル未満、またはさらには１１キロメートル未満）に対して要求されなくてもよい。
【００２８】
図１１に示すように窓組立体１０はフレーム１５内に設置される。取付アセンブリ６２は、フレーム１５の最も近い部材の長さの少なくとも７０％、少なくとも８０％、または少なくとも９０％に沿って延びている。設置の間、必要または所望であれば電気接続は建物の電気システムと窓組立体１０の１つまたは複数の電気部品の間でなされてもよい。代替的に、無線通信を、建物内の送信機または受信機と窓組立体１０の１つまたは複数の電気部品の間で確立することができる。別の実施形態では、誘導電源が、制御ユニットまたは窓組立体１０のＥＣ装置を駆動するエネルギ貯蔵ユニットに結合されてもよい。さらに、窓組立体１０は、電力も建物の電気システムとの通信インターフェースも必要としない自己完結型の電気部品を有していてもよい。
【００２９】
設置した後、空間１１２は、ソーラパネル１２とフレーム１５との間に存在してもよい。空間１１２は、窓フレーミングシステムに関連する様々な誤差を補償するのに役立つ。窓組立体１０は、フレーム１５内に設置された後、空間１１２は縮小されてもよいし、なくてもよい。図７および８に関して前述したように、カバー１３は、締結具を露出するように移動する。カバー１３が、ヒンジカバーである場合は、カバーはヒンジ周りに移動することができる。それ以外の場合は、カバー１３を除去することができる。締結具は緩めることができ、取付アセンブリ６２は、その最終的な位置に配置することができる。通常、取付アセンブリ６２は、フレーム１５、またはＩＧＵ１１の外縁の近くに、移動するが、その外縁は、取付アセンブリ６２に最も近い。一実施形態では、取付アセンブリ６２は、フレーム１５に当接するように動く。別の実施形態では、取付アセンブリ６２は、フレーム１５の近くに動くが、フレーム１５から離間したままである。そのような構成は、フレーム１５と取付アセンブリ６２との間の熱膨張係数が大きく異なるか、または排水が懸念される場合、有用であり得る。一旦、取付アセンブリ６２がその最終位置にあり、カバー１３が、締結具を覆うために使用されると、締結具が締め付けられる。必要があるかまたは所望の場合、エンドキャップ１５を、取付アセンブリ６２の端部とフレーム１５の間の空間を覆うために使用することができる。したがって、位置決めされた取付アセンブリを有する設置された窓組立体１０は、図１に示される。
【００３０】
本明細書に記載の実施形態は、従来のシステムに比べて利点を有する。取付アセンブリのプレアセンブリは、ＩＧＵ１１と取付アセンブリ６２、および対応する電気部品が、ユニットとして出荷されるのを可能にする。これにより出荷中、または設置場所でパーツが分離または紛失する可能性を低減することができる。さらに、取付アセンブリ６２が、固定され非可動位置を有する場合の窓組立体１０と比較した場合、窓組立体１０のプレアセンブリにより、窓組立体１０をより容易に設置することができる。出荷時や設置場所でパーツの分離や紛失が起こりにくいように、締結具は、取付アセンブリ６２および関連する電子構成部品（単数または複数）をしっかりと保持するのに役立つ。
【００３１】
取付アセンブリ６２と取付ブラケット２１との間の移動可能な結合により、窓組立体が取り付けられ、きれいでプロフェッショナルな設置外観を呈するのを可能にする。取付アセンブリ６２が固定され、移動可動に結合されない場合、くさびまたは他の位置決め部材が設置時に必要になることがありえるので、設置がはるかに難しくなるであろう。したがって、固定位置取付アセンブリ６２と比較した場合、窓組立体１０は、設置を容易にするのを可能にする。
【００３２】
多くの異なる態様および実施形態が可能である。これらの態様および実施形態のいくつかは、本明細書に記載される。本明細書を読んだ後、当業者は、これらの態様および実施形態は単なる例示であり、本発明の範囲を限定するものではないことを理解するであろう。実施形態は、下記のような１つまたは複数の実施形態に従うことができる。
【００３３】
実施形態１
断熱ガラスユニットと、
前記断熱ガラスユニットに移動可能に結合された取付アセンブリと、
前記取付アセンブリに固定された電気部品と
を含む、窓組立体。
【００３４】
実施形態２．
電気部品を取付アセンブリに固定することと、
前記取付アセンブリを断熱ガラスユニットに結合することと、
前記断熱ガラスユニットをフレーム内に設置することと
を含む、方法。
【００３５】
実施形態３．
前記取付アセンブリを結合することが前記取付アセンブリを前記断熱ガラスユニットに関連付けられた取付ブラケットに固定することを含む、実施形態２の方法。
【００３６】
実施形態４．
前記取付アセンブリを結合することが前記取付ブラケットを前記断熱ガラスユニットに固定することを含む、実施形態３の方法。
【００３７】
実施形態５．
さらに、前記取付アセンブリが位置決め前に比べ位置決め後にフレームに近いように、前記取付アセンブリを位置決めすること含み、位置決めが設置後に行なわれる、実施形態２から４のいずれか１つの方法。
【００３８】
実施形態６．
前記取付アセンブリを前記取付ブラケットに固定するために使用される締結具を緩めることであって、緩めることが、前記断熱ガラスユニットを設置した後、および前記取付アセンブリを位置決めする前に実行されるようにしてなる、緩めることと、
前記取付アセンブリを位置決めした後、前記締結具を締め付けることとをさらに含む、実施形態５の方法。
【００３９】
実施形態７．
位置決めすることが、前記取付アセンブリおよび電気部品を前記フレームに向かって移動させることを含む、実施形態５または６の方法。
【００４０】
実施形態８．
電気的に断熱ガラスユニットに電気部品を結合することをさらに含む、実施形態２から７のいずれか１つの方法。
【００４１】
実施形態９．
前記断熱ガラスユニットを設置した後、締結具の上にカバーを配置することをさらに含む、実施形態２から８のいずれか１つの方法。
【００４２】
実施形態１０．
カバーを配置することが、前記取付アセンブリを位置決めした後に行なわれる、実施形態９の方法。
【００４３】
実施形態１１．
前記締結具を緩めおよび締める前に、前記締結具を露出させるようカバーを移動することをさらに含む、実施形態１０の方法。
【００４４】
実施形態１２．
前記窓組立体を第１地点から設置が実行される第２地点に出荷することをさらに含む、実施形態２から１１のいずれか１つの方法。
【００４５】
実施形態１３．
前記第１地点と第２地点との間の距離が少なくとも１１キロメートル、少なくとも５０キロメートル、少なくとも１１０キロメートル、または少なくとも５００キロメートルである、実施形態１２の方法。
【００４６】
実施形態１４．
前記第１地点と第２地点との間の前記距離が９０００万キロメートル以下、９００万キロメートル以下、２５０００キロメートル以下、または９０００キロメートル以下、または５０００キロメートル以下である、実施形態１２または１３の方法。
【００４７】
実施形態１５．
前記第１と第２地点との間の距離が１１キロメートルから２５０００キロメートル、５０キロメートルから９０００キロメートルまで、または１１０キロメートルから５０００キロメートルまでの範囲である、実施形態１２から１４のいずれか１つの方法。
【００４８】
実施形態１６．
出荷前に、前記窓組立体をパッケージに配置することと、
出荷後および設置前に、前記窓組立体を前記パッケージから取り外すことと
をさらに含む、実施形態１２から１５のいずれか１つの方法。
【００４９】
実施形態１７．
前記取付アセンブリが、前記断熱ガラスユニットに結合されつつ、前記窓を出荷すること、前記窓組立体を前記パッケージ内に配置すること、前記窓組立体を前記パッケージから取り外すこと、またはその任意の組み合わせが実行される、実施形態１２から１６のいずれか１つの方法。
【００５０】
実施形態１８．
前記断熱ガラスユニットが、電気化学システムを含む、前述の実施形態のいずれか１つの窓組立体または方法。
【００５１】
実施形態１９．
前記電気化学システムが、通電変色装置である、実施形態１９の窓組立体または方法。
【００５２】
実施形態２０．
前記電気部品が、ソーラパネルを含む、実施形態１から１１のいずれか１つの窓組立体または方法。
【００５３】
実施形態２１．
前記ソーラパネルが、前記断熱ガラスユニットの一部である電気化学システムのためのエネルギを発生させる、実施形態２０の窓組立体または方法。
【００５４】
実施形態２２．
前記窓組立体が、前記ソーラパネルからエネルギを受信するように構成されたエネルギ貯蔵ユニットをさらに含む、実施形態２０または２１の窓組立体または方法。
【００５５】
実施形態２３．
前記電気部品が、制御ユニットを含む、前述の実施形態のいずれか１つの窓組立体または方法。
【００５６】
実施形態２４．
前記制御ユニットが、ソーラパネルに結合される、実施形態２３の窓組立体または方法。
【００５７】
実施形態２５．
前記制御ユニットが、前記断熱ガラスユニット内の電気化学システムに結合される、実施形態２３または２４の窓組立体または方法。
【００５８】
実施形態２６．
前記窓組立体が、電気化学システム、前記電気部品、またはその両方に結合された制御ユニットをさらに含む、実施形態１から２２のいずれか１つの窓組立体または方法。
【００５９】
実施形態２７．
前記制御ユニットは、フレーム内または前記フレームまたは前記断熱ガラスユニットに取り付けられるハウジング内に存在する、実施形態２６の窓組立体または方法。
【００６０】
実施形態２８．
前記窓組立体が、前記取付アセンブリを前記断熱ガラスユニットに結合する締結具をさらに含む、実施形態１から５および７から２７のいづれか１つの窓組立体または方法。
【００６１】
実施形態２９．
前記締結具が、圧縮締結具である、実施形態６または２８の窓組立体または方法。
【００６２】
実施形態３０．
前記締結具が、ボルト、ねじ、カムレバー、またはＢＮＣ端子を含む、実施形態６、２８、または２９の窓組立体または方法。
【００６３】
実施形態３１．
前記締結具が、さらにナットを含む、実施形態３０の窓組立体または方法。
【００６４】
実施形態３２．
前記窓組立体が、前記断熱ガラスユニットに固定された取付ブラケットをさらに含む、実施形態１、２、５、および１２から３１のいずれか１つの窓組立体または方法。
【００６５】
実施形態３３．
前記取付ブラケットを前記断熱ガラスユニットに固定する接着剤、ねじ、両面テープ、またはナットおよびボルトアセンブリをさらに含む、実施形態３２の窓組立体または方法。
【００６６】
実施形態３４．
前記断熱ガラスユニットに成形される取付ブラケットをさらに含む、実施形態１、２、５、および１２から３１のいずれか１つの窓組立体または方法。
【００６７】
実施形態３５．
前記取付ブラケットが、チャネルを有している、実施形態３２から３４のいずれか１つの窓組立体または方法。
【００６８】
実施形態３６．
前記窓組立体が、少なくとも２つ、少なくとも３つ、少なくとも４つ、または少なくとも５つの取付ブラケットを含む、前述の実施形態のいずれか１つの窓組立体または方法。
【００６９】
実施形態３７．
前記取付アセンブリが、板を含む、前述の実施形態のいずれか１つの窓組立体または方法。
【００７０】
実施形態３８．
前記窓組立体が、前記取付アセンブリの一部に隣接し、覆うカバーをさらに含む、実施形態１から８および１２から３７のいずれか１つの窓組立体または方法。
【００７１】
実施形態３９．
前記カバーは、前記電気部品によって覆われない前記取付アセンブリの一部を覆うトリムパネルである、実施形態９から１１および３８のいずれか１つの窓組立体または方法。
【００７２】
実施形態４０．
前記カバーがヒンジカバーである、実施形態９から１１、３８および３９のいずれか１つの窓組立体または方法。
【００７３】
実施形態４１．
前記カバーが、材料の押出ピースである本体を有する、実施形態９から１１および３８から４０のいずれか１つの窓組立体または方法。
【００７４】
実施形態４２．
前記カバーが、アルミニウムまたはポリマーを含む、実施形態９から１１および３８から４２のいずれか１つの窓組立体または方法。
【００７５】
実施形態４３．
前記取付アセンブリが、細長い円形の形状の開口部を含む、前述の実施形態のいずれか１つの窓組立体または方法。
【００７６】
実施形態４４．
前記取付アセンブリが、細長い円形の形状の開口部と比較して、細長くなく、前記取付アセンブリの中心に近い円の形で別の開口部をさらに含む、実施形態４３の窓組立体または方法。
【００７７】
実施形態４５．
前記断熱ガラスユニットと前記取付アセンブリとの間に配置されるガタツキ防止部材をさらに含む、前述の実施形態の１つのいずれか１つの窓組立体または方法。
【００７８】
明細書全体または実施例における前述の作業のすべてが必要とされるわけではなく、特定の作業の一部は必要とされないことがあり、また１つまたは複数のさらなる作業が記載されたものに加えて実行されてもよいことに留意されたい。さらに、列記される作業の順序は必ずしも実行される順序ではない。
【００７９】
明確のために本明細書にて別個の実施形態の文脈において記載されているある一定の特徴は、単一の実施形態において、組み合わされて付与されてもよい。反対に、簡潔化のために単一の実施形態の文脈において記載されている種々の特徴は、別個にまたは任意のサブコンビネーションにおいて付与されてもよい。さらに、範囲で記述されている値への言及は、該範囲内の各値およびあらゆる値を含む。
【００８０】
課題に対しての利益、他の利点、および解決策を、具体的な実施形態に関して上に記載している。しかし、課題に対しての利益、利点、および解決策、ならびにあらゆる利益、利点または解決策を生じさせるまたはより明白にすることができるあらゆる特徴は、特許請求の範囲のいずれかまたはすべての厳密な、所要の、または必須の特徴として解釈されてはならない。
【００８１】
本明細書において記載された実施形態の詳細および説明は、各種の実施形態の構造についての一般的理解を与えるためのものである。その詳細および説明は、本明細書において記載された構造または方法を使用する、装置および系の素子および機能素子のすべてを徹底的かつ包括的に記述しようとしたものではない。個別の実施形態は、単一実施形態での組み合わせにおいて提供されることができ、逆に言えば、また、単一の実施形態について概略された様々な要件は、別々にまたは任意のサブコンビネーションによって提供されることができる。さらに、範囲で記載される値への言及は、その範囲内のあらゆる値を含む。他の多くの実施形態は、この明細書を読んだ後に当業者には明らかであろう。構造的置換、論理的置換または他の変化が本開示の範囲から逸脱せずに行なうことができるように、他の実施形態を使用し、本開示に由来することができる。したがって、本開示は制限的というよりむしろ例示的なものとして見なされるべきである。
【図１】
2018505978.tif 000003
【図２】
2018505978.tif 000004
【図３】
2018505978.tif 000005
【図４】
2018505978.tif 000006
【図５】
2018505978.tif 000007
【図６】
2018505978.tif 000008
【図７】
2018505978.tif 000009
【図８】
2018505978.tif 000010
【図９】
2018505978.tif 000011
【図１０】
2018505978.tif 000012
【図１１】
2018505978.tif 000013
【国際調査報告】
2018505978.tif 000014
2018505978.tif 000015
2018505978.tif 000016